(57)【要約】【課題】片手で簡単に操作して迅速に換算することができるカード状の外貨換算器を提供する。【解決手段】矩形のカード状の基板２と、基板２に回転可能に取り付けられる薄厚な円盤３とを備え、基板２には円盤３の周囲を囲むように日本円または外貨の通貨量の数値が目盛られた第１対数尺５が表示され、円盤３の周縁部には第１対数尺５と同じ方向に外貨または日本円の数値が目盛られた第２対数尺６が表示され、外貨の１単位を表示する第２対数尺６または第１対数尺５の目盛と、外貨の１単位と交換される日本円の通貨量の数値を第１対数尺５または第２対数尺６の桁に変更して表示する第１対数尺５または第２対数尺６の目盛とを合わせた状態で、外貨の表示価格の数値を表示する第２対数尺６または第１対数尺５の目盛と一致する第１対数尺５または第２対数尺６の目盛が、第１対数尺５または第２対数尺６の桁に変更した日本円の取引高の数値となる。【選択図】図１
0003165965.tif 000002
【実用新案登録請求の範囲】
【請求項１】
矩形のカード状の基板と、
薄厚に形成され基板に回転可能に取り付けられる円盤とを備え、
基板には円盤の周囲を囲むように日本円または外貨の通貨量の数値が目盛られた第１対数尺が表示され、円盤の周縁部には第１対数尺と同じ方向に外貨または日本円の数値が目盛られた第２対数尺が表示され、
外貨の１単位を表示する第２対数尺または第１対数尺の目盛と、外貨の１単位と交換される日本円の通貨量の数値を第１対数尺または第２対数尺の桁に変更して表示する第１対数尺または第２対数尺の目盛とを合わせた状態で、外貨の取引高の数値を表示する第２対数尺または第１対数尺の目盛と一致する第１対数尺または第２対数尺の目盛が、第１対数尺または第２対数尺の桁に変更した日本円の取引高の数値となることを特徴とする外貨換算器。
【請求項２】
日本円の通貨量の数値は１００以上１０００未満の数値に桁を変更して表示されることを特徴とする請求項１に記載の外貨換算器。
【考案の詳細な説明】
【技術分野】
【０００１】
本考案は、米ドル、ユーロなどの外貨の取引高を日本円に換算し、あるいは日本円の取引高を米ドル、ユーロなどの外貨に換算する外貨換算器に関する。
【背景技術】
【０００２】
外国で物品を購入する場合に、表示されている米ドルなどの外貨を日本円に換算したい場合がある。また、外国人が日本で物品を購入する場合には日本円を米ドルなどの外貨に換算したい場合がある。このような場合に外貨換算をすることができる外貨換算器が特許文献１に記載されている。特許文献１の外貨換算器は、カード状の基板と、基板を無端状に外囲して基板の周りに回転可能な帯体とを備える。基板を一周する周長の両表面には自然数が目盛られた第１対数尺が表示され、帯体は前記周長と等しい長さとされ、全周に亘って自然数が目盛られた第２対数尺が表示される。使用者は基板の第１対数尺と帯体の第２対数尺とを用いて外貨換算を行う。
【先行技術文献】
【特許文献】
【０００３】
【特許文献１】特開平１０−２１３１３号公報
【考案の概要】
【考案が解決しようとする課題】
【０００４】
特許文献１に記載の外貨換算器では、基板を外囲した帯体を回転させながら基板の両表面を用いて換算するが、使用者が帯体を回転させる動作と基板を裏返す動作とを片手で行うことは難しいので両手で操作することになる。外貨換算器は薄厚なカード状に形成されているので、外貨換算器を片手に持って簡単に操作することができれば操作性が向上する。
【０００５】
本考案の目的は、このような課題を解決するもので、片手で簡単に操作して迅速に換算することができるカード状の外貨換算器を提供することである。
【課題を解決するための手段】
【０００６】
この課題を解決するために請求項１に記載の考案は、矩形のカード状の基板と、薄厚に形成され基板に回転可能に取り付けられる円盤とを備え、基板には円盤の周囲を囲むように日本円または外貨の通貨量の数値が目盛られた第１対数尺が表示され、円盤の周縁部には第１対数尺と同じ方向に外貨または日本円の数値が目盛られた第２対数尺が表示され、外貨の１単位を表示する第２対数尺または第１対数尺の目盛と、外貨の１単位と交換される日本円の通貨量の数値を第１対数尺または第２対数尺の桁に変更して表示する第１対数尺または第２対数尺の目盛とを合わせた状態で、外貨の取引高の数値を表示する第２対数尺または第１対数尺の目盛と一致する第１対数尺または第２対数尺の目盛が、第１対数尺または第２対数尺の桁に変更した日本円の取引高の数値となるものである。請求項２に記載の考案は、日本円の通貨量の数値が１００以上１０００未満の数値に桁を変更して表示されるものである。
【考案の効果】
【０００７】
本考案によれば、外貨の１単位を表示する第２対数尺の目盛と、外貨の１単位と交換される日本円の通貨量の数値を第１対数尺の桁に変更して表示する第１対数尺の目盛とを片手で合わせることができ、外貨の取引高の数値を表示する第２対数尺の目盛と一致する第１対数尺の目盛を読むことによって、迅速に外貨の取引高の数値に相当する日本円の通貨量の数値を得ることができる。
【図面の簡単な説明】
【０００８】
【図１】一実施形態に係る外貨換算器の正面図である。
【図２】外貨換算器のＡ−Ａ断面図である。
【図３】基板の正面図である。
【図４】円盤の正面図である。
【図５】外貨換算器の正面図である。
【図６】外貨換算器の正面図である。
【図７】外貨換算器の使用状態を示す外観図である。
【考案を実施するための形態】
【０００９】
以下、本考案の一実施形態について図１〜図４に基づいて説明する。図１は一実施形態に係る外貨換算器１の正面図である。図２は外貨換算器１のＡ−Ａ断面図である。図３は基板２の正面図であり、図４は円盤３の正面図である。
【００１０】
外貨換算器１は、カード状の基板２と、基板２の表面にリベット４で回転可能に支持される円盤３とを備える。基板２と円盤３とは、紙または合成樹脂で形成されており、基板２は横方向の長さＬ１が約８５ｍｍ、縦方向の長さＬ２が約５４ｍｍ、厚みｔ１が０．５ｍｍとされ、円盤３の厚みｔ２は０．２ｍｍとされる。
【００１１】
基板２の表面には円盤３を囲むように第１対数尺５が表示される。第１対数尺５には、１００以上１０００未満の数値が円周状に目盛られており、１００と１０００とが１周目の同じ目盛によって表される。１００から６００までは５０置きに数値が記載され、６００を超えて１０００未満の範囲は１００置きに数値が記載される。円盤３の円周には第２対数尺６が表示される。第２対数尺６には、１以上１０未満の数値が目盛られており、１と１０とが１周目の同じ目盛によって表される。１から６までは０．５置きに数値が記載され、６から１０までは１置きに数値が目盛られる。第１対数尺５と第２対数尺６とは、ともに時計回りに数値が増加するように表示される。なお、第１対数尺５には、第１対数尺５が日本円を表示することを示すために￥が表示され、第２対数尺６には、第２対数尺６が米ドルおよびユーロを表示することを示す記号が表示される。
【００１２】
ここでユーロで表示された価格を日本円に換算する場合について説明する。たとえば購入しようとする物品の表示価格が３ユーロのときに、この価格３ユーロを日本円に換算する場合について説明する。ここでユーロの１単位である１ユーロは日本円で１１０円に相当するものとする。第２対数尺６には１以上１０未満の数値が目盛られ、第１対数尺には１００以上１０００未満の数値が目盛られているので、図５中のＡ１に示すように、円盤３を回転させて第２対数尺６の目盛「１」と、１ユーロと交換される日本円の通貨量を表示する第１対数尺５の目盛「１１０」とを合わせる。円盤３をこの状態に固定して、Ａ２に示すように第２対数尺６の目盛「３」に対応する第１対数尺５の数値を読み取ると３３０となり、物品の表示価格３ユーロは日本円に換算すると３３０円となることが判る。
【００１３】
次に、物品の表示価格が７５０ユーロのときに、この価格７５０ユーロを日本円に換算する場合について説明する。ここでユーロの１単位を１００ユーロとする。第１対数尺５には１００以上１０００未満の数値が目盛られており、１００ユーロに相当する日本円１１，０００円の数値を第１対数尺５の桁に変更して表示すると「１１０」となるので、Ａ１に示すように円盤３を回転させて第２対数尺６の目盛「１」を第１対数尺の目盛「１１０」の位置に合わせて固定する。Ａ３に示すように第２対数尺６の目盛「７．５」に対応する第１対数尺５の数値を読むと約８２０となるが、日本円１１，０００円を第１対数尺５の桁に変更するときに２桁下げているので、８２０に１００を乗じて、日本円に換算すると約８２，０００円となることが判る。
【００１４】
米ドルで表示された表示価格を日本円に換算する場合について説明する。まず、物品の表示価格が７．２米ドルのときに、この価格７．２米ドルを日本円に換算する場合について説明する。このとき米ドルの１単位である１米ドルは日本円に換算して８５円とする。第１対数尺５には１００以上１０００未満の数値が目盛られており、日本円８５円の数値を第１対数尺５の桁に変更して表示すると「８５０」となるので、図６中のＢ１に示すように円盤３を回転させて第２対数尺６の目盛「１」を第１対数尺の目盛「８５０」の位置に合わせて固定する。Ｂ２に示すように第２対数尺６の目盛「７．２」に対応する第１対数尺５の数値を読むと約６１００となるが、日本円８５円を第１対数尺５の桁に変更するときに１桁上げているので、６１００を１０で除して、日本円に換算すると約６１０円となることが判る。
【００１５】
物品の表示価格が７２０米ドルのときに、この価格７２０米ドルを日本円に換算する場合について説明する。ここでは米ドルの１単位を１００米ドルとする。第１対数尺５には１００以上１０００未満の数値が目盛られており、１００米ドルに相当する日本円８，５００円の数値を第１対数尺５の桁に変更して表示すると「８５０」となるので、Ｂ１に示すように円盤３を回転させて第２対数尺６の目盛「１」を第１対数尺の目盛「８５０」の位置に合わせて固定する。Ｂ２に示すように第２対数尺６の目盛「７．２」に対応する第１対数尺５の数値を読むと約６１００となるが、日本円８５００円を第１対数尺５の桁に変更するときに１桁下げているので、６１００に１０を乗じて、日本円に換算すると約６１，０００円となることが判る。
【００１６】
なお、日本円で表示された表示価格を外貨に換算することもできる。購入しようとする物品の表示価格が３３０円のときに、この価格３３０円をユーロに換算する場合について説明する。１ユーロが日本円で１１０円に相当する場合には、図５中のＡ１に示すように円盤３を回転させて第２対数尺６の目盛「１」を第１対数尺５の目盛「１１０」に合わせる。円盤３をこの状態に固定して、Ａ２に示すように第１対数尺５の目盛「３３０」に対応する第２対数尺６の目盛を読み取る。このときの第２対数尺６の数値は３であるので、物品の表示価格３３０円はユーロに換算すると３ユーロとなることが判る。
【００１７】
このように外貨で表示された表示価格を日本円に換算することができ、また逆に日本円で表示された表示価格を外貨に換算することができる。本実施例では、第１対数尺５に日本円の通貨量の数値が目盛られ、第２対数尺６に外貨の数値が目盛られているが、これに限定されるものではなく、第１対数尺５に外貨の数値が目盛られ、第２対数尺６に日本円の通貨量の数値が目盛られるものでも良い。また、外貨が米ドルまたはユーロの場合について説明したが、もちろんその他の通貨の換算をすることもできる。
【００１８】
外貨換算器１は、薄厚なカード状に形成されているので、他のカードとともに携帯することができ、必要に応じて取り出して、たとえば図７に示すように片手で持って親指で円盤３を回転させて操作することができる。
【００１９】
このように、矩形のカード状の基板２と、薄厚に形成され基板２に回転可能に取り付けられる円盤３とを備え、基板２には円盤３の周囲を囲むように日本円または外貨の通貨量の数値が目盛られた第１対数尺５が表示され、円盤３の周縁部には第１対数尺５と同じ方向に外貨または日本円の数値が目盛られた第２対数尺６が表示され、外貨の１単位を表示する第２対数尺６または第１対数尺５の目盛と、外貨の１単位と交換される日本円の通貨量の数値を第１対数尺５または第２対数尺６の桁に変更して表示する第１対数尺５または第２対数尺６の目盛とを合わせた状態で、外貨の表示価格の数値を表示する第２対数尺６または第１対数尺５の目盛と一致する第１対数尺５または第２対数尺６の目盛が、第１対数尺５または第２対数尺６の桁に変更した日本円の取引高の数値となるので、外貨の１単位を表示する第２対数尺６または第１対数尺５の目盛と、外貨の１単位と交換される日本円の通貨量の数値を第１対数尺５または第２対数尺６の桁に変更して表示する第１対数尺５または第２対数尺６の目盛とを片手で合わせることができ、外貨の表示価格の数値を表示する第２対数尺６または第１対数尺５の目盛に対応する第１対数尺５または第２対数尺６の目盛を読むことによって、迅速に外貨の取引高の数値に相当する日本円の通貨量の数値を得ることができる。
【００２０】
さらに、日本円の通貨量の数値は１００以上１０００未満の数値に桁を変更して表示されるので、米ドルあるいはユーロを日本円に換算する場合に便利である。
【符号の説明】
【００２１】
１    外貨換算器
２    基板
３    円盤
４    リベット
５    第１対数尺
６    第２対数尺
【図１】
0003165965.tif 000003
【図２】
0003165965.tif 000004
【図３】
0003165965.tif 000005
【図４】
0003165965.tif 000006
【図５】
0003165965.tif 000007
【図６】
0003165965.tif 000008
【図７】
0003165965.tif 000009